(57)【要約】      （修正有）【課題】屋根や遊具などに付着した放射性物質を簡易に拭き取ることができる放射性物質拭き取り除去具および放射性物質拭き取り布体を提供する。【解決手段】放射性物質拭き取り除去具１０は、放射性物質を拭き取るための布体１３と、この布体１３を収納する容器１０ａとを備え、布体１３は、界面活性剤およびキレート剤を含む除染液を含浸しており、容器１０ａは、布体１３を収納する収納部１１と、蓋部１２とからなり蓋部１２には、布体を取り出すための第１の開口部２１ａが設けられている。【選択図】図１
0003178577.tif 000002
【実用新案登録請求の範囲】
【請求項１】
放射性物質を拭き取るための布体と、この布体を収納する容器とを備え、
前記布体は、界面活性剤およびキレート剤を含む除染液を含浸しており、
前記容器は、前記布体を収納する収納部と、蓋部とからなり、
前記蓋部には、前記布体を取り出すための第１の開口部が設けられている
ことを特徴とする放射性物質拭き取り除去具。
【請求項２】
前記布体は、ロール状に巻回されていると共に、巻回方向に対して垂直方向に所定の間隔を空けてミシン目が設けられており、
前記蓋部には、前記第１の開口部を覆うための第１の被覆部が設けられており、
前記第１の被覆部には、前記第１の開口部よりも小さな第２の開口部が設けられていると共に、前記第２の開口部を覆う第２の被覆部が設けられた
ことを特徴とする請求項１記載の放射性物質拭き取り除去具。
【請求項３】
請求項１に記載の放射性物質拭き取り除去具に用いる詰め替え用の布体であって、
シート状であり、界面活性剤およびキレート剤を含む除染液を含浸している
ことを特徴とする放射性物質拭き取り布体。
【請求項４】
ロール状に巻回されていると共に、巻回方向に対して垂直方向に所定の間隔を空けてミシン目が設けられている
ことを特徴とする請求項３に記載の放射性物質拭き取り布体。
【考案の詳細な説明】
【技術分野】
【０００１】
本考案は、放射性物質を拭き取るための除去具および布体に関する。
【背景技術】
【０００２】
東京電力福島第１原子力発電所の事故に伴い、セシウム１３７・セシウム１３４を中心とした放射性物質による汚染が問題となっている。飛散した放射性物質は、屋根などに付着しているが、これらは、例えば、高圧洗浄などにより除染されている。
【０００３】
しかしながら、高圧洗浄により除染した場合には、放射性物質が再度飛散してしまったり、水垢が落ちないという問題があった。そこで、高圧洗浄の後に、拭き取り作業が行われている。しかし、屋根などの拭き取り作業は、重労働であり、作業の簡素化による労働者の負荷の軽減が求められている。
【０００４】
また、教育機関などでは、放射性物質が遊具などへ再付着することが心配されており、簡易に拭き取ることができれば望ましい。
【先行技術文献】
【特許文献】
【０００５】
【特許文献１】特許第４９３２０５４号
【考案の概要】
【考案が解決しようとする課題】
【０００６】
本考案は、このような問題に基づきなされたものであり、屋根や遊具などに付着した放射性物質を簡易に拭き取ることができる放射性物質拭き取り除去具および放射性物質拭き取り布体を提供することを目的とする。
【０００７】
なお、特許文献１では、放射性物質類除去システムなどが公開されているが、本件とは、構成が全くことなっている。
【課題を解決するための手段】
【０００８】
本考案の放射性物質拭き取り除去具は、放射性物質を拭き取るための布体と、この布体を収納する容器とを備え、布体は、界面活性剤およびキレート剤を含む除染液を含浸しており、容器は、布体を収納する収納部と、蓋部とからなり蓋部には、布体を取り出すための第１の開口部が設けられているものである。
【０００９】
本考案の放射性物質拭き取り布体は、本考案の放射性物質拭き取り除去具に用いる詰め替え用の布体であって、シート状であり、界面活性剤およびキレート剤を含む除染液を含浸しているものである。
【考案の効果】
【００１０】
本考案の放射性物質拭き取り除去具によれば、布体に界面活性剤およびキレート剤を含む除染液を含浸させるようにしたので、放射性物質を簡易に拭き取れると共に、乾拭きよりも汚れなどを落としやすく、しかもほこりがたちにくい。また、容器の蓋部に布体を取り出すための第１の開口部を設けるようにしたので、例えば、手袋を着けたままでも、容易に布体を引き出すことができる。よって、屋根や遊具などに付着した放射性物質を簡易に拭き取ることができる。
【００１１】
更に、布体をロール状に巻回すると共に、巻回方向に対して垂直方向に所定の間隔を空けてミシン目が設けるようにすれば、容器から布体を１枚ずつ連続的に取り出すことができる。更にまた、蓋部に、第１の開口部を覆うための第１の被覆部を設け、第１の被覆部に、第１の開口部よりも小さな第２の開口部が設けると共に、第２の開口部を覆う第２の被覆部を設けるようにすれば、第２の開口部からは、１枚ずつ布体を連続的に取り出し、第１の開口部からは、必要に応じて、複数枚の布体を一度に取り出すことができる。
【００１２】
本考案の放射性物質拭き取り布体は、本考案の放射性物質拭き取り除去具に用いることができ、布体がなくなった場合には、詰め替えて使用することができる。
【図面の簡単な説明】
【００１３】
【図１】本考案の一実施の形態に係る放射性物質拭き取り除去具の構成を表す部分断面図である。
【図２】本考案の一実施の形態に係る放射性物質拭き取り除去具の部分拡大図である。
【考案を実施するための形態】
【００１４】
以下、本考案の実施の形態について、図面を参照して詳細に説明する。
【００１５】
図１は、本考案の一実施の形態に係る放射性物質拭き取り除去具１０の構成を表すものである。この放射性物質拭き取り除去具１０は、例えば、容器１０ａからなり、例えば、一方が開口した収納部１１と、この収納部１１を覆う蓋部１２とを有している。収納部１１は、例えば、バケツのような形状をしている。収納部１１および蓋部１２は、例えば、プラスチックなどの樹脂により形成されている。
【００１６】
収納部１１には、放射性物質を拭き取るための布体１３が収納されている。この布体１３は、例えば、シート状であり、界面活性剤およびキレート剤を含む除染液が含浸されている。布体１３は、例えば、繊維の織物や編み物、不織布により構成されており、中でも、不織布が好ましい。除染液に溶けたりせず、また、破れにくく、毛羽立ちにくいからである。また、両面とも使用することができるからである。
【００１７】
この布体１３の大きさは、例えば、矩形状の場合には、一辺を２０ｃｍ以上５０ｃｍ以下とすることが好ましく、２５ｃｍ以上４５ｃｍ以下とすればより好ましい。このような布体１３は、例えば、ロール状に巻回されて収納部１１に収納されている。ロール状に巻回された布体１３には、巻回方向に対して垂直方向に所定の間隔を空けてミシン目が設けられており、ミシン目１３ａに沿って布体１３を切り離せるようになっている。なお、この場合には、上述した布体１３の大きさは、所定の間隔ごとに切り離された布体１３の大きさを示す。
【００１８】
このような布体１３は、使用されて、収納部１からなくなった際に、新たに詰替えて使用することもできる。
【００１９】
蓋部１２には、例えば、布体１３を取り出すための第１の開口部２１ａが設けられている。第１の開口部２１ａは、例えば、人が手を入れて収納部１１に収納された布体１３を取り出せる程度の大きさがあれば好ましく、例えば、その大きさは、直径で７ｃｍ以上１５ｃｍ以下程度であることが好ましい。布体１３を一度に複数枚必要な場合には、都合がよいからである。
【００２０】
蓋部１２には、例えば、第１の開口部２１ａを覆うための第１の被覆部２１ｂが設けられている。第１の被覆部２１ｂを設けることにより、布体１３の乾燥が防げるからである。第１の被覆部２１ｂは、例えば、第１の開口部２１ａにかしめることにより、覆うことができる。
【００２１】
第１の被覆部２１ｂには、例えば、第２の開口部２２ａが設けられている。第２の開口部２２ａの大きさは、例えば、第１の開口部２１ａの大きさよりも小さく、具体的には、布体１３の一端を引っ張り上げた際、布体１３が第２の開口部２２ａに常に接触する程度の大きさであることが好ましい。布体１３を１枚ずつ引っ張り上げられると共に、１枚の布体１３を引っ張り出した際に、ミシン目で切り離せるからである。図２は、第２の開口部２２ａを上から見た拡大図の一例である。第２の開口部２２ａは、大きな開口部とそれよりも小さな開口部とが設けられ、それぞれの一部が、小さな開口部の直径よりも狭い幅の通路によりつながっている。このような形状にすることにより、例えば、大きな開口部から布体１３を引っ張り上げながら、通路を通って小さな開口部側に移動させ、更に引っ張り上げることにより、布体１３をミシン目で容易に切り離すことができるので好ましい。大きな開口部は、例えば、直径が１ｃｍ程度であり、小さな開口部は、例えば、直径が４ｍｍ程度である。
【００２２】
蓋部１２には、第２の開口部２２ａを覆うための第２の被覆部２２ｂが設けられている。第１の蓋部２２ｂを設けることにより、布体１３の乾燥が防げるからである。
【００２３】
このように本実施の形態の放射性物質拭き取り除去具１０によれば、布体１３に界面活性剤およびキレート剤を含む除染液を含浸させるようにしたので、放射性物質を簡易に拭き取れると共に、乾拭きよりも汚れなどを落としやすく、しかもほこりがたちにくい。また、容器の蓋部１２に布体１３を取り出すための第１の開口部２１ａを設けるようにしたので、例えば、手袋を着けたままでも、容易に布体１３を引き出すことができる。よって、屋根や遊具などに付着した放射性物質を簡易に拭き取ることができる。
【００２４】
更に、布体１３をロール状に巻回すると共に、巻回方向に対して垂直方向に所定の間隔を空けてミシン目が設けるようにすれば、容器１０ａから布体１３を１枚ずつ連続的に取り出すことができる。更にまた、蓋部２に、第１の開口部２１ａを覆うための第１の被覆部２１ｂを設け、第１の被覆部２１ｂに、第１の開口部２１ａよりも小さな第２の開口部２２ａを設けると共に、第２の開口部２２ａを覆う第２の被覆部２２ｂを設けるようにすれば、第２の開口部２２ａからは、１枚ずつ布体１３を連続的に取り出し、第１の開口部２１ａからは、必要に応じて、複数枚の布体１３を一度に取り出すことができる。
【００２５】
また、布体１３は、容器１０ａに布体１３がなくなった場合には、詰め替えて使用することができる。
【実施例】
【００２６】
上述した放射性物質拭き取り除去具１０から、布体１３としての不織布を取り出して、屋根を拭いたところ、放射線量は、拭き取る前は、５．２８Ｂｑ／ｃｍ２であったが、拭き取り後は、０．９８Ｂｑ／ｃｍ２となり、約８０％減少した。よって、本考案の放射性物質拭き取り除去具１０を用いれば、放射性物質を効果的に除去できることが分かった。
【００２７】
以上、実施の形態及び変形例を挙げて本考案を説明したが、本考案は上記実施の形態及び変形例に限定されるものではなく、種々変形可能である。例えば、上記実施の形態では、収納部１１を円筒状あるいは円錐台状のバケツのような形状をしている場合について説明したが、直方体状あるいは立方体状のものであってもよい。また、上記実施の形態では、布体１３をロール状に巻回して収納部１に収納する場合について説明したが、布体１３の一部を、他の布体１３に積み重ね、複数枚積層するようにして収納してもよい。
【符号の説明】
【００２８】
１０…放射性物質拭き取り除去具、１０ａ…容器、１１…収納部、１２…蓋部、１３…布体、１３ａ…ミシン目、２１ａ…第１の開口部、２１ｂ…第１の被覆部、２２ａ…第２の開口部、２２ｂ…第２の被覆部
【図１】
0003178577.tif 000003
【図２】
0003178577.tif 000004